(57)【要約】【課題】吸引漏れの生じない掘削システムを提供する。【解決手段】先端開口が掘削用カッターヘッド５４側と臨んでいる可撓性の第１吸引ダクト２、２と、支持ブーム５３の下方に先端開口が位置するよう設けられた可撓性の第２吸引ダクト３、３と、第１吸引ダクト２、２および第２吸引ダクト３、３の先端開口から粉塵を含む空気を吸引する吸引ファン４と、吸引ファン４に接続された集塵ダクト５と、粉塵を含む空気を吸気口６ａから吸引し、粉塵を捕集した後排気口６ｂから空気を排気する集塵機６と、を備える集塵システム１とする。【選択図】図１
2009155996.tif 000002
【特許請求の範囲】
【請求項１】
掘削機本体から延出し先端が異なる二軸方向にそれぞれ回動自在な支持ブームと、支持ブームの先端に装着された掘削可能なカッターヘッドと、を備える掘削システムであって、
先端開口がカッターヘッド側に臨むよう先端開口の近傍が支持ブームに設置されている第１吸引ダクトと、
先端開口がカッターヘッドの周辺に位置し変形自在に形成された第２吸引ダクトと、
第１吸引ダクトおよび第２吸引ダクトの先端開口から粉塵を吸引する吸引ファンと、を備える掘削システム。
【請求項２】
粉塵を捕集し得る粉塵捕集機と、
吸引ファンと粉塵捕集機との間を繋ぎ、かつ吸引ファンにより吸引された粉塵を粉塵捕集機側に案内する可撓性を有した集塵ダクトと、
吸引ファン側と粉塵捕集機側との間に配置されて集塵ダクトを吊り下げて支持するワイヤーと、を備える請求項１記載の掘削システム。
【請求項３】
吸引ファンは振動を軽減可能な架台を介して掘削機本体に設置されている、請求項１または請求項２記載の掘削システム。
【請求項４】
掘削機本体から延出し先端が異なる二軸方向にそれぞれ回動自在な支持ブームと、
支持ブームの先端に装着されており地盤を掘削可能なチゼルと、を備える掘削システムであって、
先端開口がチゼル側に臨むよう先端開口の近傍が支持ブームに設置された粉塵吸引ダクトと、
粉塵吸引ダクトの先端開口から粉塵を吸引する吸引ファンと、
粉塵を捕集し得る粉塵捕集機と、
吸引ファンと粉塵捕集機との間を繋ぎ、かつ吸引ファンにより吸引された粉塵を粉塵捕集機側に案内する可撓性を有した集塵ダクトと、
吸引ファン側と粉塵捕集機側との間に配置されて集塵ダクトを吊り下げて支持する支持棒と、を備える掘削システム。
【発明の詳細な説明】
【技術分野】
【０００１】
本発明は、吸引ダクトおよび吸引ファンから構成される吸引手段を掘削機本体に搭載し得る掘削システムに関するものである。
【背景技術】
【０００２】
山岳トンネルや地盤などの掘削工事を行う際、掘削作業に伴って掘削用カッターヘッド近傍から大量の粉塵が発生する。大量の粉塵は、作業従事者の視界を妨げるため、発生する都度除去する必要がある。
従来の粉塵除去を行う掘削システムとしては、散水やウォータージェットによって粉塵を水滴で捕捉する掘削システムや、送排気を行うことによって強制換気する掘削システムや、掘削機の支持ブームに取り付けられた吸引ダクトによって掘削用カッターヘッド近傍の粉塵を吸引する掘削システムなどがあった。
その中でも、掘削機の支持ブームに取り付けられた吸引ダクトによって掘削用カッターヘッド近傍の粉塵を吸引する掘削システムは、吸引手段が掘削機本体に取り付け可能になっていて、粉塵の発生源近傍から粉塵を吸引するため効率良く集塵できるという利点や、掘削用カッターヘッド近傍の環境を良好に保つことができるという利点等があった（特許文献１参照）。
【特許文献１】特開２００３−２３９６９９号公報
【発明の開示】
【発明が解決しようとする課題】
【０００３】
しかしながら、従来の吸引ダクトが掘削機本体に搭載可能な集塵システムでは、支持ブームに取り付けられた吸引ダクトから全ての粉塵を吸引することはできず、粉塵の一部が吸引時に生じる気流によって拡散してしまう、という問題があった。また、従来の地盤掘削タイプの掘削機においては、チゼル近傍から飛び散る粉塵を効率良く集塵できない、という問題があった。
そこで本発明の主たる課題は、吸引ダクトの吸引によって拡散してしまう粉塵を効率良く集塵することのできる掘削システム、および、粉塵を効率良く集塵することのできる地盤の掘削システムを提供することにある。
【課題を解決するための手段】
【０００４】
上記課題を解決した本発明は次記のとおりである。
＜請求項１記載の発明＞
掘削機本体から延出し先端が異なる二軸方向にそれぞれ回動自在な支持ブームと、支持ブームの先端に装着された掘削可能なカッターヘッドと、を備える掘削システムであって、
先端開口がカッターヘッド側に臨むよう先端開口の近傍が支持ブームに設置されている第１吸引ダクトと、
先端開口がカッターヘッドの周辺に位置し変形自在に形成された第２吸引ダクトと、
第１吸引ダクトおよび第２吸引ダクトの先端開口から粉塵を吸引する吸引ファンと、を備える掘削システム。
【０００５】
（作用効果）
本発明は、カッターヘッドで掘削を行うとともに、この掘削作業によって生じる粉塵を吸引ファンによって、先端開口がカッターヘッド側に臨むよう先端開口の近傍が支持ブームに設置されている第１吸引ダクトと、先端開口がカッターヘッドの下方に位置し変形自在な第２吸引ダクトの先端開口とから吸引するようになっている。
このように、第２吸引ダクトが変形自在であると、第１吸引ダクトの吸引によって生じる気流が原因で拡散してしまう粉塵に向かって先端開口を向けることが可能となり、第１吸引ダクトで吸引しきれない粉塵を吸引することができるようになる。また、例えば、第２吸引ダクトの先端開口がカッターヘッドの下方に配置することによって、第１吸引ダクトで吸引しきれずに落下してくる粉塵を吸引することもできる。そのため、従来品よりも粉塵を効率良く集塵することができる。
【０００６】
＜請求項２記載の発明＞
粉塵を捕集し得る粉塵捕集機と、
吸引ファンと粉塵捕集機との間を繋ぎ、かつ吸引ファンにより吸引された粉塵を粉塵捕集機側に案内する可撓性を有した集塵ダクトと、
吸引ファン側と粉塵捕集機側との間に配置されて集塵ダクトを吊り下げて支持するワイヤーと、を備える請求項１記載の掘削システム。
【０００７】
（作用効果）
本発明に係る掘削システムは、可撓性を有した集塵ダクトが、前述の吸引ファンと粉塵を捕集し得る粉塵捕集機との間を繋いで、吸引ファンにより吸引された粉塵を粉塵捕集機側に案内するようになっているが、この際、吸引ファン側と粉塵捕集機側との間に配置されたワイヤーが、集塵ダクトを吊り下げて支持するような構成とされている。
【０００８】
例えば、カッターヘッドや吸引ファンと粉塵捕集機とが相互に異なる車両にそれぞれ取り付けられている場合などに、集塵ダクトを可撓性にしたことによって、カッターヘッド等が取り付けられた車両側のみが前後左右に動いたとしても、集塵ダクトがこれに合わせて変形するのに伴い、粉塵捕集機を取り付けた車両を移動させる必要がなくなるので、操作性が向上する。
さらに、集塵ダクトをワイヤーで吊り下げて支持することによって、集塵ダクトが変形した場合であっても、集塵ダクトがたるんで地面に接触することを防げるのに伴って、集塵ダクトの損傷等を防止できる。
【０００９】
つまり、本発明が適用される掘削機本体は、掘削作業を中断することなく掘削位置を自由に変更できるようにするために、移動可能な車両に取り付けられることが好ましい。しかしながら、カッターヘッド、吸引ファン及び粉塵捕集機を同一の車両に取り付けた場合、車両の規模が必要以上に大きくなって製造コストが多大になると共に操作性や汎用性に欠ける等の欠点が存在する。
【００１０】
これに対して、上記のように可撓性を有した集塵ダクトやこの集塵ダクトを吊り下げるワイヤーを用いることにより、上記のような欠点もなく、吸引ファン側と粉塵捕集機側とを分けて吸引ファンのみをカッターヘッドの取り付けられる車両に搭載することが可能となる。
【００１１】
＜請求項３記載の発明＞
吸引ファンは振動を軽減可能な架台を介して掘削機本体に設置されている、請求項１または請求項２記載の掘削システム。
【００１２】
（作用効果）
集塵能力を向上させるため吸引ファンを大型化すると、大型化に比例して吸引ファンから生じる振動が強くなる。このように振動が強い吸引ファンを掘削機本体に搭載することは、吸引ファンから伝わってくる振動によって掘削が正確に行えなくなるため好ましくない。そこで本項記載の発明のように、振動を軽減可能な架台を介して吸引ファンを搭載することによって、吸引ファンから掘削機本体に伝わる振動を軽減することができる。その結果、支持ブームに大きな振動が伝わってしまうのを防止できるため、振動による支持ブームのぶれが少なくなり正確な掘削が可能となる。
【００１３】
＜請求項４記載の発明＞
掘削機本体から延出し先端が異なる二軸方向にそれぞれ回動自在な支持ブームと、
支持ブームの先端に装着されており地盤を掘削可能なチゼルと、を備える掘削システムであって、
先端開口がチゼル側に臨むよう先端開口の近傍が支持ブームに設置された粉塵吸引ダクトと、
粉塵吸引ダクトの先端開口から粉塵を吸引する吸引ファンと、
粉塵を捕集し得る粉塵捕集機と、
吸引ファンと粉塵捕集機との間を繋ぎ、かつ吸引ファンにより吸引された粉塵を粉塵捕集機側に案内する可撓性を有した集塵ダクトと、
吸引ファン側と粉塵捕集機側との間に配置されて集塵ダクトを吊り下げて支持する支持棒と、を備える掘削システム。
【００１４】
（作用効果）
本項記載に係る発明は、請求項１および請求項２に記載した発明に係る思想を、地盤の掘削システムに適用したものである。本項記載の発明は、チゼルで地盤の掘削を行うとともに、この掘削作業によって生じる粉塵を吸引ファンによって、先端開口がチゼル側に臨むよう先端開口の近傍が支持ブームに設置されている粉塵吸引ダクトから吸引するようになっている。
【００１５】
このように、粉塵吸引ダクトの先端開口がチゼル側に臨むよう先端開口の近傍が支持ブームに設置されていると、わざわざ粉塵ダクトの向きを操作しなくとも粉塵吸引ダクトの先端開口を常にチゼル側に臨ませることができる。そのため、チゼル近傍から生じる粉塵を効率良く捕集することができる。
【００１６】
また、請求項２記載の発明と同様に、吸引ファンと粉塵捕集機とを接続する集塵ダクトが撓性を有しており、且つ集塵ダクトが支持棒によって吊り下げ支持されているため、請求項２記載の発明と同じ作用効果も得ることができる。
【発明の効果】
【００１７】
以上、本発明によれば、吸引ダクトの吸引によって拡散してしまう粉塵を効率よく吸引することのできる掘削システム、および、粉塵を効率良く集塵することのできる地盤の掘削システムを提供することができる。
【発明を実施するための最良の形態】
【００１８】
以下、本発明の実施形態について添付図面を参照しつつ詳説する。なお、本実施形態における上・下・前・後・左・右の方向は、説明上便宜的に用いているのであって、製品としての使用状態を限定するものではない。
【００１９】
＜第１の実施形態＞
図１は本実施形態に係る掘削システムを示している。この掘削システムは、掘削機本体５０と集塵システム１とから構成されている。
掘削機本体５０は、略角形状の車体５２を主として構成されている。この車体５２の下方側にはクローラ５６が装備されており、掘削機本体５０は、車体５２が備える図示しない動力手段によってクローラ５６を動作させることによって前後左右方向に移動自在となっている。
【００２０】
車体の前方側端部には、掘削機本体５０の移動時に土砂がクローラ５６に巻き込まれないようアウトリガー５７が設けられている。このアウトリガー５７は、車体５２の端部に地面側へ向かって張り出すよう設けられている。
【００２１】
車体５２の前方側には、上下方向を軸として旋回動自在である板状の旋回台５５が装着されており、その旋回台５５の上面側には、支持ブーム台５８を介して棒状の支持ブーム５３が回転軸６０を介して取り付けられている。この支持ブーム５３は、この回転軸６０を軸として上下方向に伏仰自在となっている。また、支持ブーム５３には、支持ブーム台５８から延出するアームシリンダ５９が取り付けられている。アームシリンダ５９は、油圧制御により伸縮自在となっており、このアームシリンダ５９が伸縮することによって支持ブーム５３の伏仰動作が行われる。つまり、支持ブーム５３は、二軸方向にそれぞれ回動自在となっている。
【００２２】
支持ブーム５３の前方向先端には、支持ブーム５３の長尺方向を軸として回動自在であり、表面に複数のカッタービット（図示しない）を備えるカッターヘッド５４が装着されており、このカッターヘッド５４を回動させつつ掘削対象の壁面に接触させることで掘削を行う。
【００２３】
車体５２の前方向側には、作業者が入室可能なスペースが設けられた運転室５１が備えられている。この運転室５１は、作業者によって操作可能な入力手段（図示せず）とこの入力手段に接続されている制御手段（図示せず）とを備えており、この制御手段によってクローラ５６の動作状態と、旋回台５５の旋回動と、アームシリンダ５９の伸縮状態と、カッターヘッド５４の回動速度と、を制御可能となっている。
【００２４】
次に、集塵システム１について詳説する。集塵システム１は、掘削作業にともなってカッターヘッド５４近傍で生じる粉塵を吸引するための第１吸引ダクト２，２および第２吸引ダクト３，３と、第１吸引ダクト２，２および第２吸引ダクト３，３の先端開口から粉塵を含む空気を吸引する吸引ファン４と、吸引ファン４によって吸引された空気から粉塵を分離する集塵機６と、から主に構成されている。
【００２５】
吸引ファン４は、エアチャンバー４ａを介して一対の第１吸引ダクト２および一対の第２吸引ダクト３と接続されており、吸引ファン４を駆動することにより、第１吸引ダクト２，２および第２吸引ダクト３，３の先端開口より粉塵を含む空気を吸引する。第１吸引ダクト２，２および第２吸引ダクト３，３は、樹脂製の管を蛇腹状に加工したもので、変形および変形した状態での固定が可能となっており、それらの先端開口を自由な方向に向けることができるようになっている。
【００２６】
第１吸引ダクト２，２の先端開口は、支持ブーム５３の前方向先端に固定されており、このように固定されていることで、第１吸引ダクト２，２は、支持ブーム５３の動きに従動することができ、その先端開口が常にカッターヘッド５４側を向くようになっている。一方、第２吸引ダクト３，３は、図１に示されるように、先端開口が支持ブーム５３の下方に位置するよう湾曲されており、また、支持ブーム５３の左右両側に一つずつ配置されている。
【００２７】
図４は、第１吸引ダクト２，２および第２吸引ダクト３，３による粉塵吸引態様の一例を示している。カッターヘッド５４の掘削により生じた粉塵は、主に矢印Ａに示されるように第１吸引ダクト２，２によって吸引される。
しかし、第１吸引ダクト２，２の吸引によって移動するも吸引されきれない粉塵が生じる。その吸引されきれなかった粉塵の移動経路を示したのが矢印Ｂである。このように、第１吸引ダクト２，２の吸引によって移動しつつも第１吸引ダクト２，２に吸引されきれなかった粉塵は、矢印Ｂに示されるように掘削機本体５０の車体５２方向に移動しつつ重力によって自然落下し、最終的に第２吸引ダクト３，３によって吸引される。
また、第１吸引ダクト２，２の吸引が及ばずに、カッターヘッド５４近傍から自然落下する粉塵も生じる。その粉塵の経路を示したのが矢印Ｃである。図示のように、第１吸引ダクト２，２によって吸引されなく、かつ第１吸引ダクト２，２の吸引が及ばない粉塵は、重力によって自然落下する。その自然落下してくる粉塵を第２吸引ダクト３，３によって吸引する。
【００２８】
第２吸引ダクト３，３は、図２および図３に示すように、先端開口が左右方向を臨んでいても良い。第２吸引ダクト３，３の先端開口が左右方向を臨んでいることによって、旋回台５５が旋回することによってカッターヘッド５４の臨む方向が左右方向に移動したとしても、支持ブーム５３近傍に第２吸引ダクト３，３の先端開口が位置するため、吸引効率が低下することがない。ただし、この場合にも第２吸引ダクト３，３の先端開口はカッターヘッド５４の下方に位置していることが好ましい。なぜなら、第２吸引ダクト３，３の先端開口がカッターヘッド５４と同じ高さまたはそれ以上の高さに位置していると、落下してくる粉塵を吸引することができなくなるからである。
【００２９】
吸引ファン４は、吸引ファン４が稼働することによって生じる振動を吸引ファン４が設置される対象に伝わらないように、ゴム製の部材や金属製のスプリング等の弾性体を内蔵し、振動を軽減可能な架台７を介して車体５２上に設置されている。このように、軽減可能な架台７が設けられていることによって、車体５２に吸引ファン４の振動が伝わってしまうのを軽減することができるため、支持ブーム５３が振動によってぶれてしまうことがなく、正確な掘削を行うことが可能となる。また、車体５２に備えられた運転室５１に伝わってしまう振動も軽減できるため、運転室５１内の作業性が損なわれてしまうのを防止することができる。
【００３０】
また、集塵システム１は、前後左右に自在に移動可能である集塵車両８に搭載された角形の集塵機６を主として構成されている。この集塵機６には、前方向先端に吸気口６ａが、後方向先端に排気口６ｂが設けられている。吸気口６ａは、蛇腹状であって可撓性を有する集塵ダクト５を介して吸引ファン４に接続されており、吸引ファン４から集塵ダクト５を介して吸気口６ａに粉塵を含む空気が送り込まれるようになっている。
【００３１】
集塵機６には、図示しない吸気ファンおよびフィルターが設けられており、この吸気ファンによって吸気口６ａに送り込まれてきた粉塵を含む空気を集塵機６内部に吸引し、そして、フィルターによって空気から粉塵だけを除去し、粉塵が除去された空気を排気口６ｂより排出するようになっている。
【００３２】
集塵ダクト５は、可撓性を有する略円筒形の樹脂製素材から形成されており、蛇腹状の構造となっている。集塵ダクト５の内部には、ステンレス製のワイヤー９が吸引ファン４と集塵ダクト５との接続口から吸気口６ａまで架設されており、このワイヤー９によって、集塵ダクト５を吊り下げて支持することによって、集塵ダクト５が変形した場合であっても、集塵ダクト５がたるんで地面に接触してしまうことがなく、集塵ダクト５の損傷等を防止できる。また、このワイヤー９は、吸気口６ａに取り付けられた定テンションウィンチ１０によって巻き取り自在となっており、任意の張力を掛けることができる。
集塵ダクト５が可撓性を有する蛇腹構造となっていることによって、図２および図３に示すように、掘削機本体５０と集塵機６とが一直線上になくとも、集塵ダクト５が湾曲することによって、掘削機本体５０に取り付けられた吸引ファン４と集塵機６とが集塵ダクト５によって接続されているため、掘削機本体５０または集塵機６が掘削作業に合わせて移動する際にも粉塵の吸引を中断する必要がなく作業性が良い。また、図示はしないが、掘削機本体５０と集塵機６との距離が遠のいたり近づいたりした場合であっても、集塵ダクト５が蛇腹構造であるため伸縮可能であるので、粉塵の吸引を中断する必要がない。この場合、定テンションウィンチ１０でワイヤー９の張力を適時変更することによって集塵ダクト５がたるんで地面に接触してしまうことを防止することができる。
集塵ダクト５は、蛇腹状の構造とせず、ゴム管やビニール管等から形成することも可能であるが、ゴム管やビニール管等は、一カ所に何度も応力が掛かかると破れてしまうため、一カ所に何度も応力が掛かっても破れ難い蛇腹状の構造とするのが好ましい。また、蛇腹状の構造であると伸縮代が大きいため、そうでないゴム管やビニール管等と比べると、掘削機本体５０と集塵機６との離間可能な距離に幅を持たせることができる。
【００３３】
＜第２の実施形態＞
次に、本発明に係る第２の実施形態について図５〜図７を参照しつつ詳説する。
図５および図６は、本実施形態に係る掘削システムを示している。この掘削システムは、地盤の掘削が可能である掘削機本体１５０と集塵システム１０１とから構成されている。
【００３４】
掘削機本体１５０は、略角形状の車体１５２を主として構成されている。この車体１５２の下方側には、上下方向を軸として旋回動自在である板状の旋回台１５５を介してクローラ１５６が装備されている。掘削機本体１５０は、車体１５２が備える図示しない動力手段によってクローラ１５６を動作させることによって前後左右方向に移動自在となっている。また、掘削機本体１５０は、旋回台１５５が旋回動することによってクローラ１５６に対して水平方向の向きを変えられるようになっている。
【００３５】
車体１５２の前方側には、油圧制御により伸縮可能となっているアームシリンダ１５９ａによって伏仰自在となっている支持ブーム１５３ａが取り付けられており、この支持ブーム１５３ａには、先端側から延出するよう設けられた支持ブーム１５３ｂが取り付けられている。この支持ブーム１５３ｂは、油圧制御により伸縮可能アームシリンダ１５９ｂによって支持ブーム１５３ａの前方側先端を軸として伏仰自在となっている。さらに、支持ブーム１５３ｂの下方側先端には、バケットシリンダ１６１により回動自在であり、地盤の掘削が可能な金属製のチゼル１６３を備える油圧ブレーカー１６２が取り付けられている。このチゼル１６３が振動することによって地盤が掘削される。
【００３６】
次に、集塵システム１０１について詳説する。吸引ファン１０４は、車体１５２に設置されており、その前側には、吸引ダクト１０２の基端が接続されている。粉塵吸引ダクト１０２は、樹脂製の管を蛇腹状に加工したもので、変形および変形した状態での固定が可能となっている。粉塵吸引ダクト１０２には、リング状のダクトサポート１０２ａ、１０２ｂ、１０２ｃが設けられており、粉塵吸引ダクト１０２は、ダクトサポート１０２ａを介して支持ブーム１５３ａに、ダクトサポート１０２ｂを介して支持ブーム１５３ｂに、ダクトサポート１０２ｃを介して油圧ブレーカー１６２に、それぞれ固定されている。
このように、ダクトサポート１０２ａ、１０２ｂ、１０２ｃによって支持ブーム１５３ａ、支持ブーム１５３ｂ、油圧ブレーカー１６２に固定されており、且つ、前述したように粉塵吸引ダクト１０２が蛇腹状に形成されていることによって、粉塵吸引ダクト１０２は、支持ブーム１５３ａおよび支持ブーム１５３ｂの伏仰動作に従動可能となっている。
また、ダクトサポート１０２ｃは、粉塵吸引ダクト１０２の先端開口に取り付けられており、粉塵吸引ダクト１０２の先端開口が常時チゼル１６３側に向くようになっている。このように構成されていることによって、先端開口が常時チゼル１６３側を向いているため、チゼル１６３による掘削作業に伴ってチゼル１６３近傍に生じる粉塵を効率良く吸引することができる。
【００３７】
吸引ファン１０４の後側には、樹脂製の管を蛇腹状に加工形成した集塵ダクト１０５の基端が接続されている。集塵ダクト１０５は、他方の基端が集塵機１０６の前側に設けられた吸気口１０６ａに接続されており、吸引ファン１０４と吸気口１０６ａとを接続している。吸引ファン１０４を駆動させることによって、粉塵吸引ダクト１０２の先端開口より粉塵が吸引され、吸引された粉塵は集塵ダクト１０５内を通過し吸気口１０６ａに送り込まれる。
【００３８】
集塵機１０６には、図示しない吸気ファンおよびフィルターが設けられており、吸引ファン１０４によって吸気口１０６ａに送り込まれてきた粉塵を、吸気ファンによって集塵機１０６内部に吸引し、フィルターによって空気から粉塵だけを除去し、粉塵が除去された空気を排気口１０６ｂより排出するようになっている。また、この集塵機１０６には、キャスターＣ、Ｃ…が取り付けられており、これらのキャスターＣ、Ｃ…によって前後左右に自在に移動可能となっている。
【００３９】
集塵ダクト１０５が、上述したように蛇腹状の構造となっていることによって、第１の実施形態と同様に、掘削機本体１５０と集塵機１０６とが一直線上になくとも、集塵ダクト１０５が湾曲することによって、掘削機本体１５０に取り付けられた吸引ファン１０４と集塵機１０６とが集塵ダクト１０５によって接続されているため、掘削機本体１５０または集塵機１０６が掘削作業に合わせて移動する際にも粉塵の吸引を中断する必要がなく作業性が良い。また、図示はしないが、掘削機本体１５０と集塵機１０６との距離が遠のいたり近づいたりした場合であっても、集塵ダクト１０５が蛇腹構造であるため伸縮可能であるので、粉塵の吸引を中断する必要がない。
また、集塵ダクト１０５の内部には、ステンレス製の支持棒１０９が吸引ファン１０４と集塵ダクト１０５との接続口から、集塵ダクト１０５を吊り下げ支持可能に、集塵ダクト１０５内を通るよう延出している。この支持棒１０９で集塵ダクト１０５を吊り下げて支持することによって、集塵ダクト１０５が変形した場合であっても、集塵ダクト１０５がたるんで地面に接触してしまうことがなく、集塵ダクト５の損傷等を防止できる。
【００４０】
なお、第１の実施形態では集塵ダクト５の支持手段をワイヤー９とし、第２の実施形態では集塵ダクト１０５の支持手段を支持棒１０９としたが、この逆でも良い。
【産業上の利用可能性】
【００４１】
本発明は、吸引手段が掘削機に取り付け可能な集塵システムに適用できるものである。
【図面の簡単な説明】
【００４２】
【図１】掘削機およびそれに取り付けられている集塵システムを示す図である。
【図２】掘削機および集塵システムを上方から見た図である。
【図３】集塵ダクトが湾曲している状態を示す図である。
【図４】粉塵の吸引が行われている様子を示す図である。
【図５】掘削機およびそれに取り付けられている集塵システムを示す図である。
【図６】掘削機および集塵システムを上方から見た図である。
【図７】掘削機を示す図である。
【符号の説明】
【００４３】
１…集塵システム、２…第１吸引ダクト、３…第２吸引ダクト、４…吸引ファン、５…集塵ダクト、６…集塵機、６ａ…吸気口、６ｂ…排気口、７…防振架台、８…集塵車両、９…ワイヤー、１０…定テンションウィンチ、５０…掘削機、５１…運転室、５２…車体、５３…支持ブーム、５４…掘削用カッターヘッド、５５…旋回台、５６…クローラ、５７…アウトリガースカート、５８…支持ブーム台、５９…アームシリンダ、６０…回転軸。
【図１】
2009155996.tif 000003
【図２】
2009155996.tif 000004
【図３】
2009155996.tif 000005
【図４】
2009155996.tif 000006
【図５】
2009155996.tif 000007
【図６】
2009155996.tif 000008
【図７】
2009155996.tif 000009